(57)【要約】【課題】ニーズに合わせて無限に拡充でき、大幅に実用価値を上げることができる組合せスタンドの組み立て構造を提供する。【解決手段】複数の直立枠、横向きロッド２０、双方向のボルト４０、及び固定ボルトにより構成され、横向きロッド２０と直立枠と接合する部位には別途製の接続部材３０を設け、接続部材３０には合わせ部３１及び内径縮め被せ部３２があり、内径縮め被せ部３２の直径が大体横向きロッド２０の内径と符合して横向きロッド２０の内端に接合でき、合わせ部３１の端面には直立枠の縦向きロッド１１の管径と符合した円弧凹み部３３が成型されており、その一側にはまた水平ロッド１３と符合した円弧欠け部３４を設け、これにより接続部材３０を横向きロッド２０の端部と直立枠との間に置く時、接続部材３０の円弧凹み部３３と円弧欠け部３４とが直立枠と完全に対応する。【選択図】図４
0003148679.tif 000002
【実用新案登録請求の範囲】
【請求項１】
複数の直立枠、横向きロッド、双方向のボルト、及び固定ボルトにより構成され、
前記直立枠は所定の高さを持つ縦向きロッドと複数の水平ロッドとにより組立て形成され、前記縦向きロッドに横向き栓穴があり、前記双方向のボルト又は前記固定ボルトを通して前記横向きロッドの端部内のネジロックブロックとロックして接合することにより組み立てられ、
前記横向きロッドと前記直立枠と接合する部位には別途製の接続部材を設け、構造の一体性及び美観性を取得し、前記接続部材には合わせ部及び内径縮め被せ部があり、前記内径縮め被せ部の直径が前記横向きロッドの内径と対応して前記横向きロッドの内端に接合でき、前記合わせ部の端面には前記直立枠の前記縦向きロッドの管径対応した円弧凹み部が成型されており、その一側にはまた前記水平ロッドと符合した円弧欠け部を設け、これにより前記接続部材を前記横向きロッドの端部と前記直立枠との間に置く時、前記接続部材の前記円弧凹み部と前記円弧欠け部とが前記直立枠と完全一致の合わせ関係を取得することを特徴とする組合せスタンドの組み立て構造。
【請求項２】
前記接続部材は前記合わせ部のサイドに定位線があり、前記横向きロッドの端部にある基準線と合わせ、前記横向きロッドと前記直立枠との接合時の位置関係の判断を補助することを特徴とする請求項１に記載の組合せスタンドの組立て構造。
【請求項３】
前記接続部材は前記円弧凹み部の予定位置に補強あばらがあり、前記横向きロッドがロックしすぎる時その圧迫力を緩衝させることにより、前記接続部材の損傷を防止することを特徴とする請求項１に記載の組合せスタンドの組立て構造。
【請求項４】
前記双方向ロッドの予定部位に隔離部が設けられ、両端の前記横向きロッドがロックし接合する時、適当な位置に形成させ、ベストなロック接合関係を得る事を特徴とする請求項１に記載の組合せスタンドの組立て構造。
【請求項５】
金属間隔板であって、物置区間を区画し、周縁に円弧凹み状の嵌めピースが延伸し成型され、端の角部位に欠け溝がつくられる前記金属間隔板を直接組合せスタンドに嵌めることを特徴とする請求項１に記載の組合せスタンドの組立て構造。
【請求項６】
ガラス間隔板であって、物置区間を区画し、前記ガラス間隔板の四角部位には他に別途製の角曲がり嵌め部材が嵌られ、前記角曲がり嵌め部材には前記ガラス間隔板厚みと符合した嵌め溝を持ち、外縁には円弧凹み状の嵌め部が延伸し設けられる前記ガラス間隔板を、前記角曲がり嵌め部材を通し組合せスタンドに嵌めさせることを特徴とする請求項１に記載の組合せスタンドの組立て構造。
【請求項７】
組合せスタンドは必要な時に前記横向きロッドの予定位置に挿し穴を設け、前後両側の前記横向きロッドの間に別途製の支えロッドを挿入し、金属間隔板またはガラス間隔板の支えを強め、もっと重い物にも耐えさせ、転倒する心配がないことを特徴とする請求項１に記載の組合せスタンドの組立て構造。
【考案の詳細な説明】
【技術分野】
【０００１】
この考案は一種の組合せスタンドの組み立て構造に関し、主に
接続部材を直立枠と横向きロッドとの接続インターフェイスにし、構造により一体性及び美観性を持たせ、使用のニーズに応じ無限に拡充でき、同時に間隔板を組み合わせて、より簡便、快速に嵌めることができ、また、必要な時前後横向きロッドの間に支えロッドを挿入することにより間隔板の安定的な支えを強め、ベストな産業利用性及び実用価値を与えるものに関する。
【背景技術】
【０００２】
現在の組合せスタンドの構造において、予定数の縦向きロッド及び横向きロッドで組合せスタンドの骨格を構成して、間隔板で組み立て組合せスタンドの枠溝区間を区画し、完全な物置スペースを成り立たせて各種のものを収納し、必要の時、扉をも設け、内部のものが露出することを避ける。
この類の組合せスタンドにおける縦向きロッドと横向きロッドとの連結において、普通は別途に製造された多方向プラグが縦向きロッド及び横向きロッドにそれぞれプラグインされて連結する機能を達成するが、この場合、組合せスタンドが異なる部位に使うプラグは構造形態に差異があるので、多種な異なる形態のプラグを予備しその組合せスタンドの設置を完成することになり、そうすると組立て上不便になる他に、使用のニーズにおいての任意拡充にも応じられず、その実用の価値を制限するため、改善すべきである。
【０００３】
更に、この類の組合せスタンドにおける間隔板の組み合わせにおいて、別途製造の部品を使うことにより、縦向きロッド及び横向きロッドで構成された枠溝区間内に組合わせられると、パーツのコストを増やす一方、組み立て、解体をする際に簡単ではないため理想とは言えず、特にガラス間隔板を採用することができず、適用の対象が制限されるため、改善する必要がある。
他に、間隔板はただロッドにより四サイドを支え、もし枠溝区間が大きすぎると、支える力は不足になり、物を置くとき、重さが大きくなると、間隔板が転倒することもあり、合わせて改善する必要がある。
【考案の開示】
【考案が解決しようとする課題】
【０００４】
組合せスタンドが構造設計上に生じた沢山の問題を解決するために、考案者は研究開発し改良し、関連業界に長年に従事したその経験及び技術に基づき、本考案の組合せスタンドの組立て構造を考案した。
本考案の主な目的は、組合せスタンドを使用のニーズに合わせて無限に拡充でき、大幅にその実用価値を上げることができる組合せスタンドの組み立て構造を提供することである。
【０００５】
本考案のもう一つの目的は、組合せスタンドの延伸拡充機能を与える他に、その縦向きロッドと横向きロッドとの接するところの構造に一体性及び美観性を維持することである。
本考案のさらにもう一つの目的は、間隔板の組み合わせがより簡便で、ガラス製間隔板にも適用できる組合せスタンドの組み立て構造を提供することである。
本考案のさらにもう一つの目的は、必要な時に支えロッドが増設され、水平の間隔板に対し補助支えになることにより、もっと重い重量に耐えられ、転倒しない組合せスタンドの組み立て構造を提供することである。
【課題を解決するための手段】
【０００６】
上記目的を達成するために、本考案に係る組合せスタンドの組み立て構造は、主に別途製造の接続部材を使い、直立枠及び横向きロッドの接続インターフェイスにし、構造により一体性、美観性を持たせ、そしてニーズに応じ無限の拡充ができると同時に、間隔板の組立て上において、円弧凹みの嵌めピース又は別途製造の円弧凹み角曲がり物件により、間隔板をより簡便に快速に組合せスタンドの枠溝内に嵌め、必要な時、前後横向きロッドの間に支えロッドを挿入させ、間隔板の安定した支えを強固にさせることにより、ベストな産業利用性及び実用価値を与えるものである。
【考案を実施するための最良の形態】
【０００７】
（一実施形態）
以下、本考案の一実施形態による組合せスタンドの組み立て構造の技術方法及び効果達成を図面に基づいて説明する。
先ず、構造図１〜３、構造分解図４，５及び構造関係図６，７を参照し、この発明における組合せスタンドの構造を説明する。
【０００８】
本考案の一実施形態による組合せスタンドの組み立て構造は、図に示すように、主に複数の直立枠１０、横向きロッド２０、接続部材３０、双方向のボルト４０、及び固定ボルト５０により組立てられる。
直立枠１０は予定規格の前後縦向きロッド１１、１２及び複数の水平ロッド１３で接続し形成され、その縦向きロッド１１、１２の高さは組立てられる構造のニーズにより各種サイズにペアで規格され、水平ロッド１３の数は置物の層の数により設置され、縦向きロッド１１、１２が各水平ロッド１３に接合する位置にそれぞれ横向き栓穴１４を設けている。
【０００９】
横向きロッド２０は置物のサイズにより設計され、横向きロッド２０の両端内部にそれぞれ内ネジ穴２２をもつネジブロック２１があり、別途製造された接続部材３０と双方向のボルト４０又は固定ボルト５０と直立枠１０とを合わせて結合し組立てられる。
接続部材３０はプラスチック射出成型を使い、合わせ部３１及び内径縮め被せ部３２を備え、その内径縮め被せ部３２のサイズが大体横向きロッド２０の内径と符合し、横向きロッド２０の内端に接合し組合わせられ、合わせ部３１の端面には直立枠１０の縦向きロッド１１、１２の管径の円弧凹み部３３が形成されており、一側にまた水平ロッド１３の円弧欠け部３４があり、合わせ部３１の側面には定位線３５を設けており、横向きロッド２０の端部の基準線２３と合わせて、横向きロッド２０と直立枠１０との接合時の位置関係の判断を補助し、接続部材３０の円弧凹み部３３に二列の補強肋３６が設けられ、横向きロッド２０がロックしすぎるとき、その圧迫力を緩衝させ、接続部材の損傷を防ぐ。
【００１０】
双方向のボルト４０は直立枠１０の縦向きロッド１１、１２にある横向き栓穴１４を通り、その両端に接続部材３０を嵌めてから横向きロッド２０とロックして接合し、縦向きロッド１１、１２を通る横向き栓穴１４の形態と合わせ、双方向ロッド４０の予定部位に隔離部４１を設け、両端の横向きロッド２０がロックし接合する際に適当な部位を形成でき、ベストな接合関係をとる。
【００１１】
固定ボルト５０は横向きロッド２０と最も端にある直立枠１０とのロック接合に運用され、直立枠１０の外側から縦向きロッド１１、１２の横向き栓穴１４に通され、接続部材３０に嵌めてから、横向きロッド２０とロックし接合する。
よって、上記部材の接合を利用し、本実施形態の組合せスタンドの構造を順調に完成することができ、接続部材３０の使用により直立枠１０と横向きロッド２０との接合部位がベストな構造となって一体性及び美観性を取得でき、そして双方向のボルト４０の使用により、組合せスタンドに使用ニーズに応じた無限拡充の実用性を持たせ、従来の同類品の制限を突破する。
【００１２】
次に、図８から図１５に示すように。上記構造により本実施形態の組合せスタンド構造を組立ててから、各物置スペースの間隔板６０、７０を組立てるとき、金属板をプレスして成型し、金属間隔板６０の周縁を円弧凹み状の嵌めピース６１に成型し、端の角部位に欠け溝６２をつくり、直接組合せスタンドの枠溝区間に嵌める。或いはガラス材質で作った間隔板７０を採用し、別途製造の角曲がり嵌め部材７１をガラス間隔板７０の四角部位に嵌め、完全なガラス間隔板７０構造にする。角曲がり嵌め部材７１はガラス間隔板７０の厚みと合った嵌め溝７２を持ち、その外縁には弧凹み状の嵌め部７３が延伸し設けられ、角曲がり嵌め物件７１を通してガラス間隔板７０を組合せスタンドの枠溝区間に嵌め、ガラス間隔板７０は四角部位が四角部位の角曲がり嵌め部材７１により組合せスタンドと嵌め合う。この場合、ものを置く時に支える力の不足で転倒することを防止するために、必要な時、横向きロッド２０の予定位置に挿し穴２４を設け、前後両側の横向きロッド２０の間に支えロッド８０を挿入する。その支えロッド８０の長さは前後の横向きロッド２０のピッチよりやや大きく、支えロッド８０の両端に予定長さの内径縮め段８１を成形し、支えロッド８０を一側の横向きロッド２０の挿し穴２４に挿入してから、支えロッド８０のもう一端を順調に両横向きロッド２０の間に置き、引き戻してもう一つの横向きロッド２０の相対する挿し穴２４内に挿入することにより、支えロッド８０を安定的に両横向きロッド２０の間に入れることができ、金属間隔板６０或いはガラス間隔板７０の支える力を強め、より重い物に耐え、転倒する心配がない。
【００１３】
即ち、上記の説明により、本実施形態における組合せスタンドはその構造設計上において、直立枠、横向きロッド、接続部材、双方向のボルト及び固定ボルトの組み合わせを利用し、完全的な組合せスタンド構造を完成し、接合部位の一体性及び美観性を維持させ、同時に使用のニーズに応じ任意に拡充、増減でき、空間企画及び実用のニーズに符合し、そしてその金属間隔板またはガラス間隔板の嵌め企画に合わせ、適当な間隔空間を区画し、各種のものを収納でき（図１６から図１８参照）、その多様な実施形態は確かに従来の同類製品に存在した沢山の問題及び実施制限を突破し、全体的に言うと、ベストな産業利用性及び実用価値を持っている。
【００１４】
上記の説明をまとめると、本考案の組合せスタンドについて作った構造設計において、接続部材が直立枠と横向きロッドとの接合インターフェイスになり、構造に一体性及び美観性を持たせ、そして使用のニーズに応じた無限の延伸拡充を可能にし、同時にその間隔板の組立て上において、簡便、快速的な嵌めを可能にし、必要があるとき、前後横向きロッドの間に支えロッドを挿入することにより間隔板に対する安定的な支えを強め、ベストな産業利用性及び実用価値を与え、全体的にいうと、確かに優れた設計であり、法に基づき実用新案の申請を提出した。
【図面の簡単な説明】
【００１５】
【図１】本考案の第一実施形態による組合せスタンドの組み立て構造を示す斜視図である。
【図２】本考案の一実施形態による組合せスタンドの組み立て構造を示す部分斜視図である。
【図３】本考案の一実施形態による組合せスタンドの組み立て構造における接続部材を示す斜視図である。
【図４】本考案の一実施形態による組合せスタンドの組み立て構造の横向きロッド及び直立枠の接合部位を示す分解斜視図である。
【図５】本考案の一実施形態による組合せスタンドの組み立て構造の横向きロッド及び直立枠のサイド接合部位を示す分解斜視図である。
【図６】本考案の一実施形態による組合せスタンドの組み立て構造の横向きロッド及び直立枠の接合部位を示す断面図である。
【図７】本考案の一実施形態による組合せスタンドの組み立て構造の横向きロッド及び直立枠のサイド接合部位を示す断面図である。
【図８】本考案の一実施形態による組合せスタンドの組み立て構造の金属間隔板を示す斜視図である。
【図９】本考案の一実施形態による組合せスタンドの組み立て構造の金属間隔板及び組合せスタンドを嵌める状態を示す部分斜視図である。
【図１０】本考案の一実施形態による組合せスタンドの組み立て構造の金属間隔板及び組合せスタンドを嵌める状態を示す斜視図である。
【図１１】本考案の一実施形態による組合せスタンドの組み立て構造のガラス間隔板を示す斜視図である。
【図１２】本考案の一実施形態による組合せスタンドの組み立て構造のガラス間隔板及び組合せスタンドを嵌める状態を示す部分斜視図である。
【図１３】本考案の一実施形態による組合せスタンドの組み立て構造のガラス間隔板及び組合せスタンドを嵌める状態を示す斜視図である。
【図１４】本考案の一実施形態による組合せスタンドの組み立て構造の支えロッドの挿入動作を示す模式図である。
【図１５】本考案の一実施形態による組合せスタンドの組み立て構造において直立枠に支えロッドを挿入した状態を示す模式図である。
【図１６】本考案の第二実施形態による組合せスタンドの組み立て構造を示す斜視図である。
【図１７】本考案の第三実施形態による組合せスタンドの組み立て構造を示す正面図である。
【図１８】本考案の第四実施形態による組合せスタンドの組み立て構造を示す正面図である。
【符号の説明】
【００１６】
１０：直立枠、１１、１２：縦向きロッド、１３：水平ロッド、１４：横向き栓穴、２０：横向きロッド、２１：ネジロックブロック、２２：内ネジ穴、２３：基準線、２４：挿し穴、３０：接続部材、３１：合わせ部、３２：内径縮め被せ部、３３：円弧凹み部、３４：円弧欠け部、３５：定位線、３６：補強あばら、４０：双方向のボルト、４１：隔離部、５０：固定ボルト、６０：金属間隔板、６１：嵌めピース、６２：欠け溝、７０：ガラス間隔板、７１：角曲がり嵌め部材、７２：嵌め溝、７３：嵌め部、８０：支えロッド、８１：内径縮め段
【図１】
0003148679.tif 000003
【図２】
0003148679.tif 000004
【図３】
0003148679.tif 000005
【図４】
0003148679.tif 000006
【図５】
0003148679.tif 000007
【図６】
0003148679.tif 000008
【図７】
0003148679.tif 000009
【図８】
0003148679.tif 000010
【図９】
0003148679.tif 000011
【図１０】
0003148679.tif 000012
【図１１】
0003148679.tif 000013
【図１２】
0003148679.tif 000014
【図１３】
0003148679.tif 000015
【図１４】
0003148679.tif 000016
【図１５】
0003148679.tif 000017
【図１６】
0003148679.tif 000018
【図１７】
0003148679.tif 000019
【図１８】
0003148679.tif 000020